(57)【要約】【課題】  ステープラや粘着テープ等の固定部材を用いることなく収容側部材と閉塞側部材とを確実に係合させ、また容易に係脱できるようにしたブリスターパッケージを提供する。【解決手段】  収容側部材であるブリスターカバー１と閉塞側部材である台紙２との間に被収容物を収容するブリスターパッケージであって、これらブリスターカバー１および台紙２の端縁部に続いて、ともに可撓性を有するシート材よりなり、互いに係脱可能に係合する係合片３、４を対となるようにそれぞれ設け、これら係合片３、４は前記ブリスターカバー１と台紙２とを重ね合わせた状態において重なり合う舌片５、６を備え、これら舌片は係合片を撓ませることによって舌片どうしの重なりの表裏関係を入れ替え可能に構成してあって、これら舌片どうしの重なりの表裏関係を入れ替えることによって係合片どうしを係脱できる。【選択図】  図１
2010023903.tif 000002
【特許請求の範囲】
【請求項１】
収容側部材と閉塞側部材との間に被収容物を収容するブリスターパッケージであって、これら収容側部材および閉塞側部材の端縁部に続いて、ともに可撓性を有するシート材よりなり、互いに係脱可能に係合する係合片を対となるようにそれぞれ設け、
これら係合片は前記収容側部材と閉塞側部材とを重ね合わせた状態において重なり合う舌片を備え、これら舌片は係合片を撓ませることによって舌片どうしの重なりの表裏関係を入れ替え可能に構成してあって、これら舌片どうしの重なりの表裏関係を入れ替えることによって係合片どうしを係脱できるように構成してなるブリスターパッケージ。
【請求項２】
前記収容側部材および閉塞側部材の端縁部と、前記各舌片との間に、舌片の重なりの表裏関係を逆転させることを許容し、収容側部材と閉塞側部材を重ね合わせた状態において互いに開口方向を異にする切り欠きを設け、
同じく前記収容側部材と閉塞側部材とを重ね合わせた状態において、前記係合片を、前記舌片どうしの重なりの表裏関係を逆転せしめる方向に捻り撓ませることにより前記切り欠きどうしが噛み合って、同収容側部材と閉塞側部材の係合片どうしが係合され、
また、前記係合片どうしが係合した状態において、前記係合片どうしを、前記舌片どうしの重なりの表裏関係を逆転せしめる方向に捻り撓ませることにより前記切り欠きどうしの噛み合いが解除されて、同収容側部材と閉塞側部材の係合片どうしの係合が解除されるように構成してなる請求項１に記載のブリスターパッケージ。
【請求項３】
前記収容側部材と閉塞側部材における切り欠きのうち、少なくとも一方の切り欠きにおける最奥部の縁辺を、曲線で構成してなる請求項２に記載のブリスターパッケージ。
【請求項４】
前記収容側部材と閉塞側部材のうちの少なくとも一方のものの左右側縁に、他方の部材の側辺を内側に保持する折り返しフラップを備え、前記収容側部材と閉塞側部材における前後の側縁のうちの少なくとも一方の側辺に、前記係合片を前記収容側部材側と閉塞側部材側とで対となるように設けてなる請求項１に記載のブリスターパッケージ。
【請求項５】
前記ブリスターパッケージを、被収容物を収容する収容側部材である本体と、閉塞側部材である蓋体とで構成し、前記本体および蓋体における側辺に、前記係合片を前記収容側部材側と閉塞側部材側とで対となるように設けてなる請求項１に記載のブリスターパッケージ。
【請求項６】
前記本体に連続する一側辺に続いて開閉可能に蓋体が設けられ、これら本体と蓋体との間の連続しない側辺に、前記係合片を前記収容側部材側と閉塞側部材側とで対となるように設けてなる請求項５に記載のブリスターパッケージ。
【請求項７】
前記本体と蓋体には、互いに係合する係合孔と係合フラップとが、これら係合孔と係合フラップが対となるように配されていて、係合孔に係合フラップを挿通させた際、同係合孔の開口面に対し略直交方向に進行する係合フラップの遊端部を強制的に変向させる変向手段を設けてなる請求項５に記載のブリスターパッケージ。  
【発明の詳細な説明】
【技術分野】
【０００１】
本発明は、商品を収容するためのブリスターパッケージに関する。
【背景技術】
【０００２】
従来、ブリスターパッケージによって包装されている商品は吊り下げ展示されるのが一般的であり、商品の収容部を成形してなる収容側部材と、前記収容部を閉塞するための閉塞側部材とを係合して商品を保持するようにしている。
【０００３】
前述するブリスターパッケージの一例としては、商品の収容部たる凹部を成形してなる収容側部材であるブリスターカバーと、商品の説明等の印刷表示がなされていて前記凹部の開口を閉塞するための閉塞側部材である平坦な台紙とで構成しているものがある（例えば、特許文献１参照）。
【０００４】
上記のものは、ブリスターカバーに台紙を挿入する入り口側においてこれらブリスターカバーと台紙との間に隙間があいたり、この台紙を案内するカバー側の溝から台紙が脱落したりするというような問題が生じないように、商品を収容した状態で同ブリスターカバーと台紙との間をステープラで固定したり、あるいはラベルや粘着テープを貼り付けて固定するようにしている。
【０００５】
また他の一例としては、商品の収容部たる凹部を成形してなるブリスターパッケージ本体と、ブリスターパッケージ本体における前記凹部の開口を閉塞するための蓋体とで構成しているものがある（例えば、特許文献２参照）。
【０００６】
上記のブリスターパッケージでは、ブリスターパッケージ本体と蓋体に備える係合フラップと係合孔とが係合する側を除き、ブリスターパッケージ本体と蓋体との係合が確実に行われずこれらの間に隙間ができてしまうことがあり、この隙間を閉塞するためにステープラで固定したり、あるいはラベルや粘着テープを貼り付けて固定するようにしている。
【０００７】
このように、ブリスターカバーと台紙、またブリスターパッケージ本体と蓋体とをステープラで固定したり、あるいはラベルや粘着テープを貼り付けたりして固定しているが、ステープラは商品を取り出す際に指を傷付けるおそれがあり、またラベルや粘着テープは破損して商品が脱落したり、剥がすと台紙の印刷を損なうおそれがある。
【０００８】
また、ステープラで固定したりラベルや粘着テープで固定したものは、商品を一旦パッケージから取り出すと、再び商品を収容する際には改めてステープラで固定したり、ラベルや粘着テープで固定しなければならないという煩雑さがある。
【０００９】
【特許文献１】特開２００５−２２７４７号公報（第１〜６頁、図１〜７）
【特許文献２】特許第４０６５３０９号公報（第１〜１２頁、図１〜１２）
【発明の開示】
【発明が解決しようとする課題】
【００１０】
本発明は、ステープラや粘着テープ等の固定部材を用いることなく収容側部材と閉塞側部材とを確実に係合させ、また容易に係脱できる係合片を備えるブリスターパッケージを提供する。
【課題を解決するための手段】
【００１１】
上記課題を解決するために、本発明に係るブリスターパッケージは、収容側部材と閉塞側部材との間に被収容物を収容するブリスターパッケージであって、これら収容側部材および閉塞側部材の端縁部に続いて、ともに可撓性を有するシート材よりなり、互いに係脱可能に係合する係合片を対となるようにそれぞれ設け、これら係合片は前記収容側部材と閉塞側部材とを重ね合わせた状態において重なり合う舌片を備え、これら舌片は係合片を撓ませることによって舌片どうしの重なりの表裏関係を入れ替え可能に構成してあって、これら舌片どうしの重なりの表裏関係を入れ替えることによって係合片どうしを係脱できるように構成したものとしてある。
【００１２】
前記収容側部材および閉塞側部材の端縁部と、前記各舌片との間に、舌片の重なりの表裏関係を逆転させることを許容し、収容側部材と閉塞側部材を重ね合わせた状態において互いに開口方向を異にする切り欠きを設け、同じく前記収容側部材と閉塞側部材とを重ね合わせた状態において、前記係合片を、前記舌片どうしの重なりの表裏関係を逆転せしめる方向に捻り撓ませることにより前記切り欠きどうしが噛み合って、同収容側部材と閉塞側部材の係合片どうしが係合され、また、前記係合片どうしが係合した状態において、前記係合片どうしを、前記舌片どうしの重なりの表裏関係を逆転せしめる方向に捻り撓ませることにより前記切り欠きどうしの噛み合いが解除されて、同収容側部材と閉塞側部材の係合片どうしの係合が解除されるように構成したものとしてある。
【００１３】
前記収容側部材と閉塞側部材における切り欠きのうち、少なくとも一方の切り欠きにおける最奥部の縁辺を、曲線で構成したものとしてある。
【００１４】
前記収容側部材と閉塞側部材のうちの少なくとも一方のものの左右側縁に、他方の部材の側辺を内側に保持する折り返しフラップを備え、前記収容側部材と閉塞側部材における前後の側縁のうちの少なくとも一方の側辺に、前記係合片を前記収容側部材側と閉塞側部材側とで対となるように設けたものとしてある。
【００１５】
前記ブリスターパッケージを、被収容物を収容する収容側部材である本体と、閉塞側部材である蓋体とで構成し、前記本体および蓋体における側辺に、前記係合片を前記収容側部材側と閉塞側部材側とで対となるように設けたものとしてある。
【００１６】
さらに前記本体に連続する一側辺に続いて開閉可能に蓋体が設けられ、これら本体と蓋体との間の連続しない側辺に、前記係合片を前記収容側部材側と閉塞側部材側とで対となるように設けたものとしてある。
【００１７】
前記本体と蓋体には、互いに係合する係合フラップと係合孔とが、これら係合フラップと係合孔が対となるように配されていて、係合孔に係合フラップを挿通させた際、同係合孔の開口面に対し略直交方向に進行する係合フラップの遊端部を強制的に変向させる変向手段を設けたものとしてある。
【発明の効果】
【００１８】
本発明のブリスターパッケージによれば、収容側部材であるブリスターカバーやブリスターパッケージ本体と、閉塞側部材である台紙や蓋体で前記収容部を閉塞するよう重ね合わせた状態において、これらそれぞれに設けた係合片において舌片どうしの重なりの表裏関係を入れ替えることで、ブリスターカバーと台紙、また、ブリスターパッケージ本体と蓋体とを、ステープラや粘着テープ等の固定部材を用いることなく簡単かつ確実に係合できる。
【００１９】
そして、それぞれの係合片における舌片どうしの重なりの表裏関係を入れ替える際も、係合片を含めブリスターパッケージは可撓性を有するシート材より形成されているので、係合片どうしを捻り撓ませることが容易にでき、係合片の係合作業を容易に行うことができる。
【００２０】
また、前記収容側部材と閉塞側部材における切り欠きのうち、少なくとも一方の切り欠きにおける最奥部の縁辺を曲線で構成したものでは、舌片どうしの重なりの表裏関係を入れ替える際に係合片の係合基部にかかる応力を分散させることができ、応力による係合片の損傷、例えば折り目や裂け目等を生じにくくでき、商品のチェック作業等で一旦商品を取り出さなければならない場合でも係合片における係合力が低下する恐れやパッケージの見栄えを損なう恐れもほとんどない。
【００２１】
よって、容易かつ確実に係脱でき、しかも係合片の体裁を損なう恐れもまずなく、したがって、商品を取り出した後であっても保管用容器として繰り返し使用することができ、またこのことは、省資源化にも貢献できる。
【００２２】
そして、係合片の舌片の突出寸法や面積を大または小に調整したり、係合片を構成する材質の厚さを調整することによって係合力の強弱や捻り易さを任意に設定できるので、広範囲の商品に適用できる。
【発明を実施するための最良の形態】
【００２３】
以下、本発明のブリスターパッケージの具体例を添付図面に基づいて説明する。
【００２４】
図１〜７に示すブリスターパッケージは、収容側部材であるブリスターカバー１と閉塞側部材である台紙２とより構成していて、ブリスターカバー１の縁辺に台紙２を保持させるために設けたフラップ７内に台紙２を挿入して使用する形式のいわゆるスライドブリスターを示している。
【００２５】
第一実施例として（図１〜４）、ブリスターカバー１は、例えばポリエチレンテレフタレート等の可撓性を有する透明な合成樹脂製のシート材を真空成型したもので構成してある。
【００２６】
また台紙２は、一般的にはコーティング紙等の紙材を用いるが、上記ブリスターカバーと同様に合成樹脂製のシート材を用いたり、また、可撓性を有しているものであれば合成樹脂製以外の素材を用いる場合もある。
【００２７】
そして、これらブリスターカバー１および台紙２の長手方向における前後の側縁のうち、前側の端縁部それぞれに互いに対となる係合片３、４を係合できるように設けていて、これら係合片３、４は、成形性に優れる一体成形によりブリスターカバー１、台紙２に設けている。
【００２８】
これら係合片３、４にはそれぞれ舌片５、６を設けていて、これら舌片５、６は、図２に示すように、ブリスターカバー１と台紙２を重ね合わせた状態において舌片５と舌片６が上下に重なるように配設している。
【００２９】
上記係合片３、４における切り欠き１０、１１は、実施例に示すように、ブリスターカバー１と台紙２を重ね合わせた状態において互いに開口方向を逆にする場合もある。
【００３０】
実施例に示すように、切り欠き１０、１１と係合片において前記各切り欠きの逆側の接続基部１０´、１１´の縁辺をなだらかな曲線で設ける場合がある。
【００３１】
また、切り欠き１０、１１の最奥部の縁辺を曲線で設ける場合があり、さらに同最奥部の縁辺における曲線の曲率を変えることによって、舌片の重なりの表裏関係を入れ替えるときあるいは係合した状態のときの係合片における遊びを調節でき、係合片にかかる応力を分散することもできる。
【００３２】
そして、上記ブリスターカバー１の中央には被収容物たる商品を収容する凹部９が設けられ、また、ブリスターカバー１の長手方向における左右側縁には台紙２を内側に保持するための折り返しフラップ７、７を、また係合片３を設けた側辺とは反対側となる後側縁部にはストッパ用折り返しフラップ８を設けている。
【００３３】
この上述する第一実施例のブリスターパッケージに商品を収容する際は、ブリスターカバー１の凹部９内に商品を入れて、台紙２の左右側縁をブリスターカバー１における係合片３側より同ブリスターカバー１の左右折り返しフラップ７、７に挿入し、台紙２の後端辺をストッパ用折り返しフラップ８の内側に当接させる（図２に示した状態）。
【００３４】
次いで、ブリスターカバー１および台紙２の係合片３、４において、図３（ａ）、図４（ａ）に示すように舌片５、６が上下に重なっている状態から係合片３，４を捻り撓ませて、図３（ｂ）、図４（ｂ）に示すように舌片５、６の重なりの表裏関係を逆転させた状態にする。
【００３５】
かくすると、ブリスターカバー１および台紙２の係合片３、４が切り欠き１０、１１どうしが噛み合って係合片３、４が係合する。
【００３６】
したがって、ブリスターカバー１に台紙２を重ね合わせた状態で台紙２が係合片側方向に移動しようとすると、舌片５、６の表裏関係が逆転していることによって係合している係合片３、４によってその動きが規制され、これにより台紙２はブリスターカバー１と確実に係合し、商品の脱落が確実に防止される。
【００３７】
また、台紙２をブリスターカバー１から外す際は、ブリスターカバー１および台紙２の係合片３、４における表裏関係が逆転している舌片５、６の重なりを、同状態においてそれぞれ係合させるときとは逆方向に捻り撓ませその表裏関係を元に戻し前記切り欠きどうしの噛み合いを解除し、係合片どうしの係合を解除させる。
【００３８】
また図５は第二実施例として、ブリスターカバー本体部１ａ、台紙本体部２ａと係合片３、４の間に延伸部２３、２４を設けたものである。なお、同図５の（ａ）は、ブリスターカバー１と台紙２を重ねた状態をブリスターカバー１の表側から示す一部拡大図であり、また、同図５（ｂ）は、ブリスターカバー１と台紙２が重なった状態からブリスターカバー１だけを外した状態の台紙２の表側（収容物と接する側）を単品で示す一部拡大図である。
【００３９】
そして係合片どうしを係合する際、係合片を撓ませると応力が集中する延伸部２３、２４と係合片３、４との間の部分を係合基部２７、２８とし、また、係合片３、４をブリスターカバー１と台紙２を重ね合わせた状態で、それぞれの係合片どうしが重なる部分である舌片５、６と重ならない部分である非重なり部２５、２６を備えたものを示している。
【００４０】
前記延伸部２３、２４を適宜備えることは、係合片どうしを係合させる際、係合基部２７、２８にかかる応力を分散させるのに有効で、また、非重なり部２５、２６も同様に係合基部２７、２８にかかる応力を分散させるのに有効である。
【００４１】
また、前記延伸部２３、２４、非重なり部２５、２６あるいは切り欠き１０、１１の縁辺を傾斜や湾曲した曲線で構成すると、撓ませる係合片の面積が小さくなるとともに、係合片を撓ませる力も少なくてすむので、容易に係合片を係合させることができる。
【００４２】
そして第三実施例として、図６、７のブリスターパッケージは、台紙２の長手方向における後端縁部の端縁部に、前記第一実施例におけるストッパ用折り返しフラップ８に代えて前記係合片３、４の形態を同じくする舌片５ａ、６ａを有する係合片３ａ、４ａを設けたものを示している。
【００４３】
さらに第四実施例として、図８〜１１のブリスターパッケージは、係合片と係合孔を具備し同係合片を係合孔に挿通させることによって係合するブリスターパッケージであって、ブリスターパッケージ本体１３と蓋体１４とより構成したものを示している。
【００４４】
また前記実施例に示すものは、ブリスターパッケージを一体成形によって効率よく形成できるように、本体１３における被収容物たる商品を収容するための凹部１３ｂ縁部の一方に折り目を介して蓋体１４を、また同凹部１３ｂ縁部の他方に折り目を介して被収容物たる商品を保持する物品保持部１５ａを有する係合孔形成用フラップ１５を設けたものである。
【００４５】
前記ブリスターパッケージにおける本体１３、蓋体１４、係合孔形成用フラップ１５は、例えばポリエチレンテレフタレート等の可撓性を有する透明な合成樹脂製のシート材を形成してなるものである。
【００４６】
そして、このブリスターパッケージには、本体１３の一方に折り目を介して接続している蓋体１４に係合フラップ１４ａを、また本体１３の他方に折り目を介して接続している係合孔形成用フラップ１５を、図９に示す図中の矢印Ｃのように本体１３上に折り重ねることによって本体１３と係合孔形成用フラップ１５との接続部分に形成される係合孔１３ａを設けている。
【００４７】
そして、係合フラップ１４ａを係合孔１３ａに挿通して同係合フラップ１４ａと係合孔１３ａとを係合することによって本体１３と蓋体１４を係合した際に（図１０参照）、本体１３と蓋体１４との間に隙間が空く側の本体１３および蓋体１４の端縁にそれぞれ係合片１６、１７および係合片１６ａ、１７ａをそれぞれ対に設けていて、本実施例では図８における上下方向の端縁部に設けている。
【００４８】
したがって、この第四実施例のブリスターパッケージに設ける係合片１６、１７および係合片１６ａ、１７ａは、前記第一実施例のブリスターパッケージのようにブリスターパッケージにおけるブリスターカバー１と台紙２とを係合するために設けているものと異なり、係合フラップ１４ａと係合孔１３ａとを係合することによって本体１３と蓋体１４を係合した際に、本体１３と蓋体１４との間に隙間が生じないようにするためのものである。
【００４９】
これら係合片１６、１７および係合片１６ａ、１７ａは、成形性に優れる一体成形によって本体１３、蓋体１４に設けている。
【００５０】
また、これら係合片１６、１７および係合片１６ａ、１７ａにはそれぞれ舌片１８、１９および舌片１８ａ、１９ａを設けていて、これら舌片１８、１９および舌片１８ａ、１９ａは、図１０に示すように、本体１３と蓋体１４とを係合することにより舌片１８と舌片１９および舌片１８ａと舌片１９ａが上下に重なるように配設している。
【００５１】
実施例に示すように、上記係合片１６、１７および係合片１６ａ、１７ａにおける切り欠き２０、２１および切り欠き２０ａ、２１ａと、係合片において前記各切り欠きの逆側における接続基部２０´、２１´および接続基部２０ａ´、２１ａ´の縁辺をなだらかな曲線で設ける場合がある。
【００５２】
また、切り欠き２０、２１および切り欠き２０ａ、２１ａの最奥部の縁辺を曲線で設ける場合があり、そして同縁辺の曲線の曲率を変えることによって舌片の重なりの表裏関係を入れ替えるときあるいは入れ替えた状態で保存しているときの遊びを調節でき、係合片にかかる応力を分散することもできる。
【００５３】
そしてこのブリスターパッケージは、本体１３と蓋体１４とを係合するために係合孔１３ａに挿通した係合フラップ１４ａが、係合孔１３ａの開口面に対し略直交方向に進行するように構成しているものである。
【００５４】
この第四実施例のブリスターパッケージに商品を収容する際は、係合孔形成用フラップ１５の物品保持部１５ａに商品を入れて、同係合孔形成用フラップ１５を本体１３上に折り重ねて物品保持部１５ａを本体１３の凹部１３ｂ内に収容し（図９に示す図中の矢印Ｃの動作）、次いで、蓋体１４を本体１３上の係合孔形成用フラップ１５上に折り重ねる（図９に示す図中の矢印Ｄの動作）とともに、係合フラップ１４ａを係合孔１３ａに挿通して同係合フラップ１４ａと係合孔１３ａとを係合する。
【００５５】
かくすると、本体１３および蓋体１４に設けている係合片１６、１７および係合片１６ａ、１７ａの舌片１８、１９および舌片１８ａ、１９ａがそれぞれ上下に重なった状態になるので、前述する第一実施例のブリスターパッケージの舌片５、６を係合する際の説明と同じように、同状態においてそれぞれ舌片の重なりの表裏関係を逆転せしめる方向に捻り撓ませて前記切り欠き２０、２１および切り欠き２０ａ、２１ａが噛み合って、本体１３および蓋体１４の係合片１６、１７および係合片１６ａ、１７ａが係合する。
【００５６】
したがって、本体１３と蓋体１４との間に隙間が開こうとしても、舌片１８、１９および舌片１８ａ、１９ａ部分が係合している係合片１６、１７および係合片１６ａ、１７ａによってその動きが規制され、これにより同係合片１６、１７および係合片１６ａ、１７ａを設けている側の本体１３と蓋体１４は確実に係合し、商品の脱落が確実に防止される。
【００５７】
また、蓋体１４を開ける際は、ブリスターカバー１および台紙２の係合片１６、１７および係合片１６ａ、１７ａにおける表裏関係が逆転している舌片１８、１９および舌片１８ａ、１９ａの係合を、同状態においてそれぞれ係合させるときとは逆方向に捻り撓ませその表裏関係を元に戻すとともに、係合孔１３ａに挿通している係合フラップ１４ａを同係合孔１３ａから抜く。
【００５８】
実施例における図中の符号１２、２２は、ブリスターパッケージの吊り下げ展示用通孔を示している。
【００５９】
なお、ブリスターパッケージの本体部分は、多角形や円形など係合片を設けられる形のものであればよいので、デザインの自由度が高い。
【００６０】
また実施例においては、収容側部材に収容部として凹部を設けてあるが、カード等の薄物を収容する場合、特に凹部を設けなくても、例えば閉塞側部材に切り込みを入れてその切り込みにカード等の角を差込むなどして、収容側部材と閉塞側部材との間に被収容部材を収容すればよい。
【００６１】
そして、切り欠きや接続基部の縁辺を曲線で表しているが、直線や傾斜をつけた直線で構成してもよい。
【００６２】
そして切り欠きは、舌片どうしの重なりの表裏関係を入れ替えることができれば、それぞれの係合片における切り欠きの方向が、例えば図１の長手方向における左右側に同じように開口していなくても、一方が左右側、他方が前後側に開口していてもよい。
【００６３】
さらに、切り欠きの最奥部を、図１の長手方向における略中心線上に設けるだけでなく、係合可能な位置であれば適宜のデザインに合わせて自由に位置を設定すればよい。
【図面の簡単な説明】
【００６４】
【図１】本発明に係る第一実施例のブリスターパッケージにおけるカバーに台紙を重ね合わせる前の状態を背面側から示す斜視図。
【図２】図１に示したブリスターパッケージにおいてカバーに台紙を重ね合わせた状態を背面側から示す斜視図。
【図３】（ａ）はカバーに台紙を重ね合わせた状態を背面側から示す一部拡大斜視図であり、（ｂ）は係合片を捻り撓ませて舌片どうしの重なりの表裏関係を入れ替えた状態を背面側から示す一部拡大斜視図。
【図４】（ａ）は図３（ａ）に示したカバーに台紙を重ね合わせた状態のブリスターパッケージを図２中の矢印Ａ方向から示す図であり、（ｂ）は図３（ｂ）に示した舌片どうしの重なりの表裏関係を入れ替えた状態のブリスターパッケージを図２中の矢印Ａ方向から示す図。
【図５】本発明に係る第二実施例のブリスターパッケージにおける延伸部を有するカバーおよび台紙であり、（ａ）は台紙にカバーを重ね合わせた状態、（ｂ）は重ね合わせた状態からカバーのみを外した状態を表側から示す一部拡大図。
【図６】本発明に係る第三実施例のカバーに台紙を重ね合わせる前の状態を背面側から示す斜視図。
【図７】図６に示したブリスターパッケージにおいてカバーに台紙を重ね合わせてかつ係合片のそれぞれを係合させた状態を背面側から示す斜視図。
【図８】本発明に係る第四実施例のブリスターパッケージにおける本体に蓋体を重ね合わせる前の状態を示す平面図。
【図９】図８に示したブリスターパッケージを同図中の矢印Ｂ方向から示す図。
【図１０】図８に示したブリスターパッケージをパッケージングした状態を示す平面透視図。
【図１１】図１０に示したブリスターパッケージの同図中の矢印Ｅ方向から示す透視図。
【符号の説明】
【００６５】
１  ブリスターカバー
１ａ  ブリスターカバー本体部
２  台紙
２ａ 台紙本体部
３  係合片
３ａ  係合片
４  係合片
４ａ  係合片
５  舌片
５ａ  舌片
６  舌片
６ａ  舌片
７  折り返しフラップ
８  ストッパ用折り返しフラップ
９  凹部
１０  切り欠き
１０ａ  接続基部
１１  切り欠き
１１ａ  接続基部
１２  吊り下げ展示用通孔
１３  本体
１３ａ  係合孔
１３ｂ  凹部
１４  蓋体
１４ａ  係合フラップ
１５  係合孔形成用フラップ
１５ａ  物品保持部
１６  係合片
１６ａ  係合片
１７  係合片
１７ａ  係合片
１８  舌片
１８ａ  舌片
１９  舌片
１９ａ  舌片
２０  切り欠き
２０ａ  接続基部
２１  切り欠き
２１ａ  接続基部
２２  吊り下げ展示用通孔
２３  延伸部
２４  延伸部
２５  非重なり部
２６  非重なり部
２７  係合基部
２８  係合基部
【図１】
2010023903.tif 000003
【図２】
2010023903.tif 000004
【図３】
2010023903.tif 000005
【図４】
2010023903.tif 000006
【図５】
2010023903.tif 000007
【図６】
2010023903.tif 000008
【図７】
2010023903.tif 000009
【図８】
2010023903.tif 000010
【図９】
2010023903.tif 000011
【図１０】
2010023903.tif 000012
【図１１】
2010023903.tif 000013
【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
収容側部材と閉塞側部材との間に被収容物を収容するブリスターパッケージであって、これら収容側部材および閉塞側部材の端縁部に続いて、ともに可撓性を有するシート材よりなり、互いに係脱可能に係合する係合片を対となるようにそれぞれ設け、
これら係合片は前記収容側部材と閉塞側部材とを重ね合わせた状態において重なり合う舌片を備え、これら舌片は係合片を撓ませることによって舌片どうしの重なりの表裏関係を入れ替え可能に構成してあって、これら舌片どうしの重なりの表裏関係を入れ替えることによって係合片どうしを係脱できるように構成してなるブリスターパッケージ。
【請求項２】
前記収容側部材および閉塞側部材の端縁部と、前記各舌片との間に、舌片の重なりの表裏関係を逆転させることを許容し、収容側部材と閉塞側部材を重ね合わせた状態において互いに開口方向を異にする切り欠きを設け、
同じく前記収容側部材と閉塞側部材とを重ね合わせた状態において、前記係合片を、前記舌片どうしの重なりの表裏関係を逆転せしめる方向に捻り撓ませることにより前記切り欠きどうしが噛み合って、同収容側部材と閉塞側部材の係合片どうしが係合され、
また、前記係合片どうしが係合した状態において、前記係合片どうしを、前記舌片どうしの重なりの表裏関係を逆転せしめる方向に捻り撓ませることにより前記切り欠きどうしの噛み合いが解除されて、同収容側部材と閉塞側部材の係合片どうしの係合が解除されるように構成してなる請求項１に記載のブリスターパッケージ。
【請求項３】
前記収容側部材と閉塞側部材における切り欠きのうち、少なくとも一方の切り欠きにおける最奥部の縁辺を、曲線で構成してなる請求項２に記載のブリスターパッケージ。
【請求項４】
前記収容側部材と閉塞側部材のうちの少なくとも一方のものの左右側縁に、他方の部材の側辺を内側に保持する折り返しフラップを備え、前記収容側部材と閉塞側部材における前後の側縁のうちの少なくとも一方の側辺に、前記係合片を前記収容側部材側と閉塞側部材側とで対となるように設けてなる請求項１に記載のブリスターパッケージ。
【請求項５】
前記ブリスターパッケージを、被収容物を収容する収容側部材である本体と、閉塞側部材である蓋体とで構成し、前記本体および蓋体における側辺に、前記係合片を前記収容側部材側と閉塞側部材側とで対となるように設けてなる請求項１に記載のブリスターパッケージ。
【請求項６】
前記本体に連続する一側辺に続いて開閉可能に蓋体が設けられ、これら本体と蓋体との間の連続しない側辺に、前記係合片を前記収容側部材側と閉塞側部材側とで対となるように設けてなる請求項５に記載のブリスターパッケージ。
【手続補正２】
【補正対象書類名】明細書
【補正対象項目名】００１７
【補正方法】変更
【補正の内容】
【００１７】
前記本体と蓋体に、互いに係合する係合フラップと係合孔とを、これら係合フラップと係合孔が対となるように配し、係合孔に係合フラップを挿通させて、これら係合フラップと係合孔との係合によっても本体と蓋体とを着脱可能に構成する場合もある。